(57)【要約】【目的】真っ直ぐな部分にも角部にも適用することができるとともに、暗闇でも危険箇所を視覚的に明らかにすることができるようにする。【構成】下面に取付手段としての両面接着テープ１５０Ａが設けられたベース部１１０Ａと、このベース部１１０Ａの上面に設けられる軟質な蓄光性樹脂からなる発光部１２０Ａとを備えており、前記ベース部１１０Ａには折り曲げ可能なベース側凹溝１１１Ａが、前記発光部１２０Ａには前記ベース側凹溝１１１Ａに対応した箇所に折り曲げ可能な発光側凹溝１２１Ａがそれぞれ形成されている。【選択図】      図２
2004308113.tif 000002
【特許請求の範囲】
【請求項１】
下面に取付手段が設けられたベース部と、このベース部の上面に設けられる軟質な蓄光性樹脂からなる発光部とを具備しており、前記ベース部には折り曲げ可能なベース側凹溝が、前記発光部には前記ベース側凹溝に対応した箇所に折り曲げ可能な発光側凹溝がそれぞれ形成されていることを特徴とする蓄光ライナー。
【請求項２】
前記ベース側凹溝及び発光側凹溝を折り曲げた際に形成される凹み部に取り付けられて凹み部をカバーする取付片を具備しており、前記取付片は前記発光部と同じ軟質な蓄光性樹脂からなることを特徴とする請求項１記載の蓄光ライナー。
【請求項３】
前記発光部には、前記発光側凹溝を跨ぎ、前記ベース側凹溝及び発光側凹溝を折り曲げた際に形成される凹み部を覆う橋絡部が設けられていることを特徴とする請求項２記載の蓄光ライナー。
【請求項４】
前記橋絡部は、前記ベース部及び発光部が折り曲げられていない場合には、側面視略半円弧状になって凹み部を覆い、前記ベース部及び発光部が折り曲げられた場合には、側面視略直線状になって凹み部を覆うことを特徴とする請求項２記載の蓄光ライナー。
【請求項５】
前記橋絡部は、前記ベース部及び発光部が折り曲げられていない場合には、側面視略Ｗ字形状になって発光側凹溝の内部に位置し、前記ベース部及び発光部が折り曲げられた場合には、側面視略直線状になって凹み部を覆うことを特徴とする請求項３記載の蓄光ライナー。
【請求項６】
前記橋絡部は、前記発光部と同じ軟質な蓄光性樹脂からなることを特徴とする請求項３、４又は５記載の蓄光ライナー。
【請求項７】
下面に取付手段が設けられたベース部と、このベース部の上面に設けられる軟質な蓄光性樹脂からなる発光部とを具備しており、前記ベース部が第１のベース部と第２のベース部とからなり、第１のベース部の端部には軸状の軸部が、第２のベース部の端部には前記軸部が嵌まり込む受け部がそれぞれ形成されており、軸部を中心として第１のベース部と第２のベース部とが折れ曲がることを特徴とするの蓄光ライナー。
【請求項８】
前記第２のベース部の上面に設けられた発光部には、前記受け部の上面を覆うカバー部が形成されており、このカバー部は、発光部と同じ軟質な蓄光性樹脂からなることを特徴とする請求項７記載の蓄光ライナー。
【発明の詳細な説明】
【０００１】
【発明の属する技術分野】
本発明は、例えば廊下の側壁部の下端部、テーブルの角部、柱の角部等に取り付けられ、なにかが衝突した場合の衝撃を和らげるとともに、衝突を未然に防止することができるライナーであって、暗闇でも自ら発光する蓄光ライナーに関する。
【０００２】
【従来の技術】
廊下の側壁部の下端部や、テーブルや柱の角部になにかが衝突した際の衝撃を和らげるライナーが存在する。また、ほぼＬ形の断面形状を有するコーナー用型材において、コーナー部をゴム等の軟質弾性材料で構成し、片部分を金属、硬質プラスチック等の硬質材料で構成したものがある（特許文献１参照）。
【０００３】
【特許文献１】
特開平８−１５１７５８号公報（第２頁  図１）
【０００４】
【発明が解決しようとする課題】
しかしながら、特許文献１に記載されたものは、初めからほぼＬ形に形成されたもので、廊下の側壁部の下端部等の真っ直ぐな部分には適用することができない。また、夜間等の暗闇において、角部や前記廊下の側壁部の下端部のように危険箇所を視覚的に明らかにするものはない。
【０００５】
本発明は、上記事情に鑑みて創案されたもので、真っ直ぐな部分にも角部にも適用することができるとともに、暗闇でも危険箇所を視覚的に明らかにすることができる蓄光ライナーを提供することを目的としている。
【０００６】
【課題を解決するための手段】
本発明に係る蓄光ライナーは、下面に取付手段が設けられたベース部と、このベース部の上面に設けられる軟質な蓄光性樹脂からなる発光部とを備えており、前記ベース部には折り曲げ可能なベース側凹溝が、前記発光部には前記ベース側凹溝に対応した箇所に折り曲げ可能な発光側凹溝がそれぞれ形成されている。
【０００７】
【発明の実施の形態】
図１は本発明の第１の実施の形態に係る蓄光ライナーの概略的側面図、図２は本発明の第１の実施の形態に係る蓄光ライナーを折り曲げた状態を示す概略的側面図、図３は本発明の第２の実施の形態に係る蓄光ライナーを折り曲げた状態を示す図面であって、同図（Ａ）は取付片を取り付ける前の概略的側面図、同図（Ｂ）は取付片を取り付けた後の概略的側面図、図４は本発明の第３の実施の形態に係る蓄光ライナーの概略的側面図、図５は本発明の第３の実施の形態に係る蓄光ライナーを折り曲げた状態を示す概略的側面図、図６は本発明の第４の実施の形態に係る蓄光ライナーの概略的側面図、図７は本発明の第４の実施の形態に係る蓄光ライナーを折り曲げた状態を示す概略的側面図、図８は本発明の第５の実施の形態に係る蓄光ライナーの概略的側面図、図９は本発明の第５の実施の形態に係る蓄光ライナーを折り曲げた状態を示す概略的側面図、図１０は本発明の第６の実施の形態に係る蓄光ライナーの概略的側面図、図１１は本発明の第６の実施の形態に係る蓄光ライナーを折り曲げた状態を示す概略的側面図である。なお、各図における各部の寸法は、作図の都合上のものである。
【０００８】
本発明の第１の実施の形態に係る蓄光ライナー１００Ａは、図１及び図２に示すように、下面に取付手段としての両面接着テープ１５０Ａが設けられたベース部１１０Ａと、このベース部１１０Ａの上面に設けられる軟質な蓄光性樹脂からなる発光部１２０Ａとを備えており、前記ベース部１１０Ａには折り曲げ可能なベース側凹溝１１１Ａが、前記発光部１２０Ａには前記ベース側凹溝１１１Ａに対応した箇所に折り曲げ可能な発光側凹溝１２１Ａがそれぞれ形成されている。
【０００９】
前記ベース部１１０Ａは、硬質な樹脂からなり、長帯状の板材である。そして、このベース部１１０Ａの幅方向の中心部には、長手方向に沿ったベース側凹溝１１１Ａが表面側から形成されている。従って、このベース部１１０Ａは、ベース側凹溝１１１Ａに沿って折り曲げることが可能になっている。なお、このベース部１１０Ａは、このベース側凹溝１１１Ａに沿って折り曲げても分離しないようになっている。
【００１０】
一方、前記発光部１２０Ａは、柔軟な蓄光樹脂から構成されている。具体的には、例えば軟質ポリ塩化ビニル樹脂等の柔軟性を有する樹脂に３〜１０重量％の蓄光顔料が混合されている。前記蓄光顔料としては、アルミン酸化合物を主成分に稀土類元素の賦活剤を添加焼成してなる根元特殊化学株式会社の『ルミノーバ』（登録商標）が適している。この『ルミノーバ』は、軟質ポリ塩化ビニル樹脂に混練容易で、かつ長時間の発光が可能となっている。
【００１１】
かかる発光部１２０Ａは、ベース部１１０Ａの上面に積層して設けられており、表面側から前記ベース側凹溝１１１Ａの真上に位置した発光側凹溝１２１Ａが設けられている。従って、ベース部１１０Ａのベース側凹溝１１１Ａの真上には、発光部１２０Ａの発光側凹溝１２１Ａが位置することになるので、この蓄光ライナー１００Ａは、両凹溝１１１Ａ、１２１Ａから長手方向に沿って折り曲げることが可能になっている。
【００１２】
さらに、前記発光部１２０Ａの表面には、等間隔で発光側凹溝１２１Ａに平行な複数（図面では左右２本の合計４本）の浅目の凹溝１２２Ａが形成されている。なお、この浅目の凹溝１２２Ａは、蓄光ライナー１００Ａを床に貼り付けた場合には、滑り止めの効果を発揮することができる。
【００１３】
次に、このように構成された蓄光ライナー１００Ａの使用方法について説明する。
例えば、廊下の側壁部の下端部に取り付ける場合には、ベース側凹溝１１１Ａ及び発光側凹溝１２１Ａから折り曲げることなく、そのままの状態で両面接着テープ１５０Ａを用いて、廊下の側壁部に貼着する。また、柱の角部Ｋに取り付ける場合には、ベース側凹溝１１１Ａ及び発光側凹溝１２１Ａから全体を９０°に折り曲げて、図２に示すように、両面接着テープ１５０Ａを用いて柱の角部Ｋに貼着する。ベース側凹溝１１１Ａには、軟質樹脂の膜が形成されており、９０°に折り曲げた際に、硬質樹脂は割れて分離するが、軟質樹脂は切断されることなる残る。このため、前記軟質樹脂が分離したベース部１１０Ａをつなぎ止める。
【００１４】
このように蓄光ライナー１００Ａを取り付けることによって、廊下の側壁部の下端部においては、例えば足の先をぶつけても発光部１２０Ａが柔軟な樹脂から構成されるため、衝撃が和らぐ。特に、柱の角部Ｋに取り付けた場合に効果的である。また、夜間等の暗闇の中では、発光部１２０Ａが発光するので、足の先をぶつけるおそれのある廊下の側壁部の下端部や、柱の角部Ｋを視覚的に明らかにすることができるので、安全性を確保することが可能となる。
【００１５】
次に、本発明の第２の実施の形態に係る蓄光ライナー１００Ｂについて、図３を参照しつつ説明する。
この蓄光ライナー１００Ｂが、上述した第１の実施の形態に係る蓄光ライナー１００Ａと相違する点は、凹み部１３５Ｂをカバーする取付片１３０Ｂを有する点である。すなわち、蓄光ライナー１００Ｂを柱の角部Ｋ等に取り付ける場合、図３（Ａ）に示すように、蓄光ライナー１００Ｂを両凹溝１１１Ｂ、１２１Ｂから折り曲げる必要があるが、その折り曲げた部分にベース部１１０Ｂと発光部１２０Ｂとの厚さ寸法に対応した凹み部１３５Ｂが形成される。この凹み部１３５Ｂは、蓄光ライナー１００Ａを柱の角部Ｋに取り付けることによって生じるものであり、そのままでは、やはり足の先等がぶつかるおそれがある。
【００１６】
しかし、前記取付片１３０Ｂを凹み部１３５Ｂに取り付けて、この凹み部１３５Ｂをカバーすることによって、足の先をぶつけても衝撃を緩和することが可能になる。
【００１７】
前記取付片１３０Ｂは、側面視略扇形状になっており、その長さ寸法は、取り付けられる蓄光ライナー１００Ｂの長さと等しく設定されている。また、この取付片１３０Ｂを凹み部１３５Ｂに取り付けると、取付片１３０Ｂの湾曲した部分は、発光部１２０Ｂの表面をなだらかにつなぐようになる。すなわち、この取付片１３０Ｂを凹み部１３５Ｂ取り付けることによって、凹み部１３５Ｂが表面に露出しないようにするのである。
【００１８】
従って、この取付片１３０Ｂは、両凹溝１１１Ｂ、１２１Ｂから折り曲げることなく、廊下の側壁部の下端部等に取り付ける場合には、使用しないものである。
【００１９】
また、この取付片１３０Ｂは、前記発光部１２０Ｂと同様に、例えば軟質ポリ塩化ビニル樹脂に蓄光顔料を混合したものからなり、発光部１２０Ｂと同様に発光するものであるから、夜間等の暗闇において発光するので、安全性が欠けることはない。
【００２０】
なお、他の点、すなわち、前記ベース部１１０Ｂは、硬質な樹脂からなる長帯状の板材である点、このベース部１１０Ｂの幅方向の中心部には、長手方向に沿ったベース側凹溝１１１Ｂの表面側から形成されており、このベース部１１０Ｂは、ベース側凹溝１１１Ｂに沿って折り曲げることが可能になっている点、このベース部１１０Ｂが、ベース側凹溝１１１Ｂに沿って折り曲げても分離しないようになっている点、前記発光部１２０Ｂは、柔軟な蓄光樹脂（具体的には、例えば軟質ポリ塩化ビニル樹脂等の柔軟性を有する樹脂に３〜１０重量％のアルミン酸化合物を主成分とし、稀土類元素の賦活剤を添加焼成してなる根元特殊化学株式会社の『ルミノーバ』（登録商標））が混合されている点、発光部１２０Ｂは、ベース部１１０Ｂの上面に積層して設けられており、表面側から前記ベース側凹溝１１１Ｂの真上に位置した発光側凹溝１２１Ｂが設けられている点、ベース部１１０Ｂのベース側凹溝１１１Ｂの真上には、発光部１２０Ｂの発光側凹溝１２１Ｂが位置することになるので、この蓄光ライナー１００Ｂは、両凹溝１１１Ｂ、１２１Ｂから長手方向に沿って折り曲げることが可能になっている点、前記発光部１２０Ｂの表面には、等間隔で発光側凹溝１２１Ｂに平行な複数（図面では左右２本の合計４本）の浅目の凹溝１２２Ｂが形成されている点は、上述した第１の実施の形態に係る蓄光ライナー１００Ａと同様である。
【００２１】
次に、本発明の第３の実施の形態に係る蓄光ライナー１００Ｃについて、図４及び図５を参照しつつ説明する。
この第３の実施の形態に係る蓄光ライナー１００Ｃは、下面に取付手段としての両面接着テープ１５０Ｃが設けられたベース部１１０Ｃと、このベース部１１０Ｃの上面に設けられる軟質な蓄光性樹脂からなる発光部１２０Ｃとを備えており、前記ベース部１１０Ｃには折り曲げ可能なベース側凹溝１１１Ｃが、前記発光部１２０Ｃには前記ベース側凹溝１１１Ｃに対応した箇所に折り曲げ可能な発光側凹溝１２１Ｃがそれぞれ形成されており、前記発光部１２０Ｃには、前記発光側凹溝１２１Ｃを跨ぎ、前記ベース側凹溝１１１Ｃ及び発光側凹溝１２１Ｃを折り曲げた際に形成される凹み部１３５Ｃを覆う橋絡部１２５Ｃが設けられている。
【００２２】
この第３の実施の形態に係る蓄光ライナー１００Ｃが、上述した第１の実施の形態に係る蓄光ライナー１００Ａと相違する点は、橋絡部１２５Ｃが存在する点である。
【００２３】
この橋絡部１２５Ｃは、発光部１２０Ｃの発光側凹溝１２１Ｃを跨いで発光部１２０Ｃに連接されている。従って、この橋絡部１２５Ｃは、両凹溝１１１Ｃ、１２１Ｃから折り曲げない状態では、図４に示すように、側面視略半円弧状になっている。そして、この橋絡部１２５Ｃは、両凹溝１１１Ｃ、１２１Ｃを折り曲げると、図５に示すように、両凹溝１１１Ｃ、１２１Ｃを折り曲げることによって形成される凹み部１３５Ｃを覆うようになる。
【００２４】
このため、前記橋絡部１２５Ｃは、両凹溝１１１Ｃ、１２１Ｃからの折り曲げに追従することができるように、発光部１２０Ｃより薄く形成されている。
【００２５】
かかる蓄光ライナー１００Ｃであると、図４に示すように、両凹溝１１１Ｃ、１２１Ｃを折り曲げないで使用する場合、例えば、廊下の側壁部の下端部において使用する場合には、橋絡部１２５Ｃがいわゆる太鼓橋のように発光部１２０Ｃの表面に存在することになるが、両凹溝１１１Ｃ、１２１Ｃから折り曲げて使用する場合、例えば、柱の角部Ｋに取り付ける場合には、凹み部１３５Ｃを覆い、凹み部１３５Ｂが表面に露出しないようにするのである。
【００２６】
このため、前記凹み部１３５Ｃが橋絡部１２５Ｃに覆われることによって、この部分に足の先をぶつけても衝撃を緩和することが可能になる。
【００２７】
なお、他の点、すなわち、前記ベース部１１０Ｃは、硬質な樹脂からなる長帯状の板材である点、このベース部１１０Ｃの幅方向の中心部には、長手方向に沿ったベース側凹溝１１１Ｃの表面側から形成されており、このベース部１１０Ｃは、ベース側凹溝１１１Ｃに沿って折り曲げることが可能になっている点、このベース部１１０Ｃが、ベース側凹溝１１１Ｃに沿って折り曲げても分離しないようになっている点、前記発光部１２０Ｃは、柔軟な蓄光樹脂（具体的には、例えば軟質ポリ塩化ビニル樹脂等の柔軟性を有する樹脂に３〜１０重量％のアルミン酸化合物を主成分とし、稀土類元素の賦活剤を添加焼成してなる根元特殊化学株式会社の『ルミノーバ』（登録商標））が混合されている点、発光部１２０Ｃは、ベース部１１０Ｃの上面に積層して設けられており、表面側から前記ベース側凹溝１１１Ｃの真上に位置した発光側凹溝１２１Ｃが設けられている点、ベース部１１０Ｃのベース側凹溝１１１Ｃの真上には、発光部１２０Ｃの発光側凹溝１２１Ｃが位置することになるので、この蓄光ライナー１００Ｃは、両凹溝１１１Ｃ、１２１Ｃから長手方向に沿って折り曲げることが可能になっている点、前記発光部１２０Ｃの表面には、等間隔で発光側凹溝１２１Ｃに平行な複数（図面では左右２本の合計４本）の浅目の凹溝１２２Ｃが形成されている点は、上述した第１の実施の形態に係る蓄光ライナー１００Ａと同様である。
【００２８】
次に、本発明の第４の実施の形態に係る蓄光ライナー１００Ｄについて、図６及び図７を参照しつつ説明する。
この第４の実施の形態に係る蓄光ライナー１００Ｄは、下面に取付手段としての両面接着テープ１５０Ｄが設けられたベース部１１０Ｄと、このベース部１１０Ｄの上面に設けられる軟質な蓄光性樹脂からなる発光部１２０Ｄとを備えており、前記ベース部１１０Ｄには折り曲げ可能なベース側凹溝１１１Ｄが、前記発光部１２０Ｄには前記ベース側凹溝１１１Ｄに対応した箇所に折り曲げ可能な発光側凹溝１２１Ｄがそれぞれ形成されており、前記発光部１２０Ｄには、前記発光側凹溝１２１Ｄを跨ぎ、前記ベース側凹溝１１１Ｄ及び発光側凹溝１２１Ｄを折り曲げた際に形成される凹み部１３５Ｄを覆う橋絡部１２５Ｄが設けられており、前記橋絡部１２５Ｄは、前記ベース部１１０Ｄ及び発光部１２０Ｄが折り曲げられていない場合には、側面視略Ｗ字形状になって発光側凹溝１２１Ｄの内部に位置し、前記ベース部１１０Ｄ及び発光部１２０Ｄが折り曲げられた場合には、側面視略直線状になって凹み部１３５Ｄを覆うようになっている。
【００２９】
この第４の実施の形態に係る蓄光ライナー１００Ｄが、上述した第３の実施の形態に係る蓄光ライナー１００Ｃと相違する点は、橋絡部１２５Ｄの形状である。すなわち、第３の実施の形態に係る蓄光ライナーＣにおける橋絡部１２５Ｃは、図４に示すように、蓄光ライナー１００Ｃが折り曲げられていない場合には、側面視略半円弧状、すなわちいわゆる太鼓橋状に蓄光ライナー１００Ｃの表面に突出していたが、第４の実施の形態に係る蓄光ライナーＤにおける橋絡部１２５Ｄは、図６に示すように、側面視略Ｗ字形状になって発光側凹溝１２１Ｄの内部に位置するようになっている。
【００３０】
かかる橋絡部１２５Ｄは、２つの側面視略Ｖ字形状のものが連結されて、側面視略Ｗ字形状になったものであって、その高さ寸法は、発光部１２０Ｄの厚さ寸法とほぼ同じか若干小さい目に設定されている。また、この橋絡部１２５Ｄの幅寸法は、側面視略Ｗ字形状になった状態では、発光側凹溝１２１Ｄの幅寸法と同一に設定されている。従って、この橋絡部１２５Ｄは、折り曲げられていない状態の蓄光ライナー１００Ｄにおいては、発光側凹溝１２１Ｄの内部に収まるようになっている。
【００３１】
なお、この橋絡部１２５Ｄの一部は、折り曲げられていない状態の蓄光ライナー１００Ｄにおいては、ベース部１１０Ｄの上面に接触するようになっているが、その部分では単に接触しているだけであって、接続はされていない。
【００３２】
このように構成された蓄光ライナー１００Ｄを廊下の側壁部の下端部等に取り付ける場合、すなわち折り曲げないで使用する場合には、両面接着テープ１５０Ｄを用いて前記下端部等に取り付ける。また、柱の角部Ｋのような部分に取り付ける場合には、発光側凹溝１２１Ｄ及びベース側凹溝１１１Ｄから９０°折り曲げて両面接着テープ１５０Ｄによって取り付ける。この蓄光ライナー１００Ｄを発光側凹溝１２１Ｄ及びベース側凹溝１１１Ｄから折り曲げると、図７に示すように、橋絡部１２５Ｄが互いに直交した発光部１２０Ｄを繋ぎ、かつ互いに直交したベース部１１０Ｄのベース側凹溝１１１Ｄに形成される凹み部１３５Ｄを覆うようになる。
【００３３】
すなわち、前記凹み部１３５Ｄが橋絡部１２５Ｄに覆われることによって、この部分に足の先をぶつけても衝撃を緩和することが可能になる。
【００３４】
また、橋絡部１２５Ｄは、発光部１２０Ｄと同様に、例えば軟質ポリ塩化ビニル樹脂に蓄光顔料を混合したものからなり、発光部１２０Ｄと同様に発光するものであるから、夜間等の暗闇において発光するので、安全性が欠けることはない。
【００３５】
なお、他の点、すなわち、前記ベース部１１０Ｄは、硬質な樹脂からなる長帯状の板材である点、このベース部１１０Ｄの幅方向の中心部には、長手方向に沿ったベース側凹溝１１１Ｄの表面側から形成されており、このベース部１１０Ｄは、ベース側凹溝１１１Ｄに沿って折り曲げることが可能になっている点、このベース部１１０Ｄが、ベース側凹溝１１１Ｄに沿って折り曲げても分離しないようになっている点、前記発光部１２０Ｄは、柔軟な蓄光樹脂（具体的には、例えば軟質ポリ塩化ビニル樹脂等の柔軟性を有する樹脂に３〜１０重量％のアルミン酸化合物を主成分とし、稀土類元素の賦活剤を添加焼成してなる根元特殊化学株式会社の『ルミノーバ』（登録商標））が混合されている点、発光部１２０Ｄは、ベース部１１０Ｄの上面に積層して設けられており、表面側から前記ベース側凹溝１１１Ｄの真上に位置した発光側凹溝１２１Ｄが設けられている点、ベース部１１０Ｄのベース側凹溝１１１Ｄの真上には、発光部１２０Ｄの発光側凹溝１２１Ｄが位置することになるので、この蓄光ライナー１００Ｄは、両凹溝１１１Ｄ、１２１Ｄから長手方向に沿って折り曲げることが可能になっている点、前記発光部１２０Ｄの表面には、等間隔で発光側凹溝１２１Ｄに平行な複数（図面では左右２本の合計４本）の浅目の凹溝１２２Ｄが形成されている点は、上述した第１の実施の形態に係る蓄光ライナー１００Ａと同様である。
【００３６】
なお、この第４の実施の形態に係る蓄光ライナー１００Ｄと、第３の実施の形態に係る蓄光ライナー１００Ｃとを比較すると、折り曲げられていない状態においても、橋絡部１２５Ｄが蓄光ライナー１００Ｄの表面から突出しないだけ、第４の実施の形態に係る蓄光ライナー１００Ｄの方がデザイン的に優れているともいえよう。
【００３７】
次に、本発明の第５の実施の形態に係る蓄光ライナー１００Ｅについて、図８及び図９を参照しつつ説明する。
この第５の実施の形態に係る蓄光ライナー１００Ｅは、下面に取付手段としての両面接着テープ１５０Ｅが設けられたベース部１１０Ｅと、このベース部１１０Ｅの上面に設けられる軟質な蓄光性樹脂からなる発光部１２０Ｅとを備えており、前記ベース部１１０Ｅが第１のベース部１１０Ｅ１と第２のベース部１１０Ｅ２とからなり、第１のベース部１１０Ｅ１の端部には軸状の軸部１１５Ｅが、第２のベース部１１０Ｅ２の端部には前記軸部１１５Ｅが嵌まり込む受け部１１６Ｅがそれぞれ形成されており、軸部１１５Ｅを中心として第１のベース部１１０Ｅ１と第２のベース部１１０Ｅ２とが折れ曲がるようになっている。
【００３８】
この第５の実施の形態に係る蓄光ライナーＥが、第１の実施の形態に係る蓄光ライナー１００Ａと相違する点は、第１の実施の形態に係る蓄光ライナー１００Ａは折り曲げたとしても、ベース部１１０Ａがベース側凹溝１１１Ａから分離しないようになっていたのに対し、この第５の実施の形態に係る蓄光ライナー１００Ｅでは、ベース部１１０Ｅが初めから２つに分離され、軸部１１５Ｅと受け部１１６Ｅからなるヒンジ構造によって連結されている点である。
【００３９】
前記第１のベース部１１０Ｅ１の端部には、蓄光ライナー１００Ｅの長手方向に沿った軸状の軸部１１５Ｅが設けられている。この軸部１１５Ｅは、第１のベース部１１０Ｅ１の端部の一部から外側に向かって突出されたものである。
【００４０】
一方、前記第２のベース部１１０Ｅ２の縁部には、蓄光ライナー１００Ｅの長手方向に沿った側面視略Ｃ字形状の受け部１１６Ｅが設けられている。この受け部１１６Ｅは、第１のベース部１１０Ｅ１の端部の一部から外側に向かって突出されたものである。かかる受け部１１６Ｅの上面は、蓄光ライナー１００Ｅの表面に露出している。
【００４１】
前記受け部１１６Ｅの内側には、軸部１１５Ｅが嵌まり込んでおり、軸部１１５Ｅを中心として第１のベース部１１０Ｅ１と第２のベース部１１０Ｅ２とが折れ曲がるようになっている。
【００４２】
従って、蓄光ライナー１００Ｅを折り曲げて使用する場合、例えば柱の角部Ｋに取り付ける場合には、図９に示すように、受け部１１６Ｅと軸部１１５Ｅとからなるヒンジ部から第１のベース部１１０Ｅ１と第２のベース部１１０Ｅ２と、ひいては、それぞれの表面に積層される発光部１２０Ｅを９０°折曲し、両面接着テープ１５０Ｅによって柱の角部Ｋに取り付ける。
【００４３】
なお、発光部１２０Ｅの表面には、等間隔で軸部１１５Ｅに平行な複数（図面では左右２本の合計４本発明）の浅目の凹溝１２２Ｅが形成されている。
【００４４】
廊下の側壁部の下端部等に取り付ける場合には、第１のベース部１１０Ｅ１と第２のベース部１１０Ｅ２とを折り曲げることなく、図８に示すようなそのままの状態で両面接着テープ１５０Ｅによって廊下の側壁部の下端部等に取り付ける。
【００４５】
なお、他の点、すなわち、前記ベース部１１０Ｅは、硬質な樹脂からなる長帯状の板材である点、前記発光部１２０Ｅは、柔軟な蓄光樹脂（具体的には、例えば軟質ポリ塩化ビニル樹脂等の柔軟性を有する樹脂に３〜１０重量％のアルミン酸化合物を主成分とし、稀土類元素の賦活剤を添加焼成してなる根元特殊化学株式会社の『ルミノーバ』（登録商標））が混合されている点、発光部１２０Ｅは、ベース部１１０Ｅの上面に積層して設けられている点は、上述した第１の実施の形態に係る蓄光ライナー１００Ａと同様である。
【００４６】
次に、本発明の第６の実施の形態に係る蓄光ライナー１００Ｆについて、図１０及び図１１を参照しつつ説明する。
この第６の実施の形態に係る蓄光ライナー１００Ｆは、下面に取付手段としての両面接着テープ１５０Ｆが設けられたベース部１１０Ｆと、このベース部１１０Ｆの上面に設けられる軟質な蓄光性樹脂からなる発光部１２０Ｆとを備えており、前記ベース部１１０Ｆが第１のベース部１１０Ｆ１と第２のベース部１１０Ｆ２とからなり、第１のベース部１１０Ｆ１の端部には軸状の軸部１１５Ｆが、第２のベース部１１０Ｆ２の端部には前記軸部１１５Ｆが嵌まり込む受け部１１６Ｆがそれぞれ形成されており、軸部１１５Ｆを中心として第１のベース部１１０Ｆ１と第２のベース部１１０Ｆ２とが折れ曲がるようになっており、第２のベース部１１０Ｆ２の上面に設けられた発光部１２０Ｆには、前記受け部１１６Ｆの上面を覆うカバー部１２７Ｆが形成されており、このカバー部１２７Ｆは、発光部１２０Ｆと同じ軟質な蓄光性樹脂から構成されている。
【００４７】
この第６の実施の形態に係る蓄光ライナー１００Ｆが、上述した第５の実施の形態に係る蓄光ライナー１００Ｅと相違する点は、受け部１１６Ｆを覆うカバー部１２７Ｆが存在する点である。すなわち、第５の実施の形態に係る蓄光ライナー１００Ｅでは、受け部１１６Ｆは上面が、蓄光ライナー１００Ｅの表面に露出していた。このため、第２のベース部１１０Ｅ２と同じ素材からなる受け部１１６Ｅは暗闇でも発光しなかったのである。これに対し、第６の実施の形態に係る蓄光ライナー１００Ｆでは、受け部１１６Ｆの上面は発光部１２０Ｆと同じ軟質な蓄光性樹脂から構成されているので、暗闇で発光するのである。
【００４８】
また、受け部１１６Ｆの上面が柔軟な発光部１２０Ｆと同じ素材からなるカバー部１２７Ｆで覆われているので、足の先をぶつけたとしても、第５の実施の形態に係る蓄光ライナー１００Ｅより衝撃を緩和することができる。
【００４９】
なお、他の点、すなわち、前記ベース部１１０Ｆは、硬質な樹脂からなる長帯状の板材である点、前記発光部１２０Ｆは、柔軟な蓄光樹脂（具体的には、例えば軟質ポリ塩化ビニル樹脂等の柔軟性を有する樹脂に３〜１０重量％のアルミン酸化合物を主成分とし、稀土類元素の賦活剤を添加焼成してなる根元特殊化学株式会社の『ルミノーバ』（登録商標））が混合されている点、発光部１２０Ｆは、ベース部１１０Ｆの上面に積層して設けられている点は、上述した第５の実施の形態に係る蓄光ライナー１００Ｅと同様である。
【００５０】
なお、上述した各実施の形態では、取付手段として両面接着テープを例に挙げたが、他の取付手段、例えば接着剤や面ファスナー等を用いてもよいことはいうまでもない。
【００５１】
また、上述した各実施の形態では、発光部を軟質ポリ塩化ビニル樹脂に『ルミノーバ』を混練したものとしたが、他の蓄光顔料を混練するものも含むことは勿論である。
【００５２】
【発明の効果】
本発明に係る蓄光ライナーは、下面に取付手段が設けられたベース部と、このベース部の上面に設けられる軟質な蓄光性樹脂からなる発光部とを備えており、前記ベース部には折り曲げ可能なベース側凹溝が、前記発光部には前記ベース側凹溝に対応した箇所に折り曲げ可能な発光側凹溝がそれぞれ形成されている。
【００５３】
従って、かかる蓄光ライナーであると、折り曲げ自在になっているので、廊下の側壁部の下端部では折り曲げることなく、またテーブルの角部や柱の角部等では折り曲げて使用することが可能である。また、これらの部分に取り付けられると、足の先等がぶつかった場合の衝撃を緩和することができるので、安全である。特に、暗闇の場合には、発光部が発光するので危険な箇所を視覚的に明らかにするのでより安全である。
【００５４】
また、前記ベース側凹溝及び発光側凹溝を折り曲げた際に形成される凹み部に取り付けられて凹み部をカバーする取付片を備え、前記取付片は前記発光部と同じ軟質な蓄光性樹脂からなる場合には、柱の角部等の曲がった部分に取り付ける際に、凹み部を取付片でカバーすることができるので、安全性をより高めることができる。
【００５５】
また、前記発光部には、前記発光側凹溝を跨ぎ、前記ベース側凹溝及び発光側凹溝を折り曲げた際に形成される凹み部を覆う橋絡部が設けられていると、上述のように別体の取付片を用いることなく、凹み部をカバーすることができるというメリットがある。
【００５６】
かかる橋絡部は、前記ベース部及び発光部が折り曲げられていない場合には、側面視略半円弧状になって凹み部を覆い、前記ベース部及び発光部が折り曲げられた場合には、側面視略直線状になって凹み部を覆うものであってもよいし、前記ベース部及び発光部が折り曲げられていない場合には、側面視略Ｗ字形状になって発光側凹溝の内部に位置し、前記ベース部及び発光部が折り曲げられた場合には、側面視略直線状になって凹み部を覆うものであってもよい。
【００５７】
後者の場合、すなわち側面視略Ｗ字形状になった橋絡部の場合には、折り曲げずに使用した場合でも、橋絡部が蓄光ライナーの表面に突出しないのでデザイン的にすっきりしたものになるというメリットがある。
【００５８】
また、前記橋絡部が、前記発光部と同じ軟質な蓄光性樹脂からなると、橋絡部も暗闇で発光することになり、安全性を高めることができる。
【００５９】
さらに、本発明に係る他の蓄光ライナーとしては、下面に取付手段が設けられたベース部と、このベース部の上面に設けられる軟質な蓄光性樹脂からなる発光部とを備えており、前記ベース部が第１のベース部と第２のベース部とからなり、第１のベース部の端部には軸状の軸部が、第２のベース部の端部には前記軸部が嵌まり込む受け部がそれぞれ形成されており、軸部を中心として第１のベース部と第２のベース部とが折れ曲がるようになったものもある。
【００６０】
この蓄光ライナーの場合には、折り曲げる際に、ベース部が連なった上述のものより弱い力で折り曲げることができるし、正確に折り曲げられるという利点がある。
【００６１】
また、前記第２のベース部の上面に設けられた発光部には、前記受け部の上面を覆うカバー部が形成されており、このカバー部は、発光部と同じ軟質な蓄光性樹脂からなると、受け部の部分も暗闇で発光するので安全である。
【図面の簡単な説明】
【図１】本発明の第１の実施の形態に係る蓄光ライナーの概略的側面図である。
【図２】本発明の第１の実施の形態に係る蓄光ライナーを折り曲げた状態を示す概略的側面図である。
【図３】本発明の第２の実施の形態に係る蓄光ライナーを折り曲げた状態を示す図面であって、同図（Ａ）は取付片を取り付ける前の概略的側面図、同図（Ｂ）は取付片を取り付けた後の概略的側面図である。
【図４】本発明の第３の実施の形態に係る蓄光ライナーの概略的側面図である。
【図５】本発明の第３の実施の形態に係る蓄光ライナーを折り曲げた状態を示す概略的側面図である。
【図６】本発明の第４の実施の形態に係る蓄光ライナーの概略的側面図である。
【図７】本発明の第４の実施の形態に係る蓄光ライナーを折り曲げた状態を示す概略的側面図である。
【図８】本発明の第５の実施の形態に係る蓄光ライナーの概略的側面図である。
【図９】本発明の第５の実施の形態に係る蓄光ライナーを折り曲げた状態を示す概略的側面図である。
【図１０】本発明の第６の実施の形態に係る蓄光ライナーの概略的側面図である。
【図１１】本発明の第６の実施の形態に係る蓄光ライナーを折り曲げた状態を示す概略的側面図である。
【符号の説明】
１００Ａ    蓄光ライナー
１１０Ａ    ベース部
１１１Ａ    ベース側凹溝
１２０Ａ    発光部
１２１Ａ    発光側凹溝
１５０Ａ    両面接着テープ（取付手段）
【図１】
2004308113.tif 000003
【図２】
2004308113.tif 000004
【図３】
2004308113.tif 000005
【図４】
2004308113.tif 000006
【図５】
2004308113.tif 000007
【図６】
2004308113.tif 000008
【図７】
2004308113.tif 000009
【図８】
2004308113.tif 000010
【図９】
2004308113.tif 000011
【図１０】
2004308113.tif 000012
【図１１】
2004308113.tif 000013